(57)【要約】      （修正有）【課題】温度調節可能なマウスパッドを提供する。【解決手段】マウスパッドは、ベース１１を含む。ベース１１は、デスクの中に固定的に設置されることができ、ベース１１の上端には固定板２５が固定的に連結され、ベース１１の中には温度調節装置１００と蓄電装置１０１とが設置される。温度調節装置１００はベース１１の中に下方に開口するように設置されたファンチャンバ１７を含み、ファンチャンバ１７の中には回転子１４が回転できるように設置される。【選択図】図１
2020177623.tif 000002
【特許請求の範囲】
【請求項１】
正面視で、ベースを含み、前記ベースがデスクの中に固定的に設置されることができ、前記ベースの上端には固定板が固定的に連結され、前記ベースの中には温度調節装置と蓄電装置とが設置され、前記温度調節装置は前記ベースの中に下方に開口するように設置されたファンチャンバを含み、前記ファンチャンバの中には回転子が回転できるように設置され、前記回転子の円周面には四枚のファンが環状になるように排列して連結され、前記回転子の上端にはモーター軸が固定的に連結され、前記ファンチャンバの上側内壁の中にはモーターが設置され、前記モーター軸が前記モーターに動力が伝達できるように連結され、前記ファンチャンバの上側内壁の中には左右対称であり、且つ上方に開口した温度調節チャンバが連通するように設置され、前記温度調節チャンバの中には凝結ブロックが固定的に設置され、前記凝結ブロックの中には凝結溝が上下に貫通するように設置され、前記凝結ブロックの上側には電熱線が固定的に設置され、前記モーターを始動して前記ファンによって外部空間から空気を吸い込み、また空気に前記凝結溝と前記温度調節チャンバとを経由させ、人の制御によって前記凝結ブロックを凝結させ又は前記電熱線を加熱して空気への温度調節を行えることを特徴とする温度調節可能なマウスパッド。
【請求項２】
前記蓄電装置は接触装置と電磁装置とを含み、前記接触装置は前記固定板の中に前後に貫通するように設置され、且つ上方に開口したマウスパッドチャンバを含み、前記マウスパッドチャンバの下側内壁の中には下方に開口した連通溝が連通するように設置され、前記ベースの中には上方に開口した接触チャンバが設置され、前記接触チャンバの中には接触ボールが上下にスライドできるように、且つ転がれるように設置され、前記接触ボールの上端が前記マウスパッドチャンバの中に伸びており、前記接触チャンバの下側内壁の中には支持ブロックチャンバが連通するように設置され、前記支持ブロックチャンバの中には支持ブロックがスライドできるように設置され、前記支持ブロックの上端が前記接触ボールに当接しており、前記支持ブロックの下端と前記支持ブロックチャンバの下側内壁との間には支持ばねが固定的に連結され、前記接触チャンバの下側内壁の中には右スライド溝が連通するように設置され、前記右スライド溝の中には右コンロッドがスライドできるように設置され、前記右コンロッドの右端と前記右スライド溝の右側内壁との間には右調節ばねが固定的に連結され、前記右コンロッドの上端には回転軸が回転できるように連結され、前記回転軸には右接触輪が固定的に連結され、前記右接触輪の左端が前記接触ボールに当接しており、前記接触チャンバの下側内壁の中には左スライド溝が連通するように設置され、前記左スライド溝の中にはスライドブロックがスライドできるように設置され、前記スライドブロックの前端と前記左スライド溝の前側内壁との間には左調節ばねが固定的に連結され、前記スライドブロックの上端には絶縁軸が回転できるように連結され、前記絶縁軸には左接触輪が固定的に連結され、前記左接触輪の後端が前記接触ボールに当接しており、前記右調節ばねと前記左調節ばねの弾力作用の下で、前記右接触輪が前記左接触輪と、前記接触ボールとの間には良好の摩擦があることを保証し、それによって前記接触ボールが転がる時に前記左接触輪と前記右接触輪とを回転連動させることができることを特徴とする請求項１に記載の温度調節可能なマウスパッド。
【請求項３】
前記電磁装置は前記回転軸の前端に固定的に連結された固定ギヤを含み、前記固定ギヤの右端にはスライドできるスライドギヤが互いに噛み合うように設置され、前記接触チャンバの右側内壁には復帰ばねが固定的に連結され、前記復帰ばねの左端が前記スライドギヤに当接しており、前記スライドギヤの中には固定軸が固定的に連結され、前記固定軸の左端には絶縁板が固定的に連結され、前記絶縁板の左端には前後対称の電磁ブロックが固定的に連結され、前記絶縁軸の右端には導電輪が固定的に連結され、前記導電輪には二本の導線が巻き付くように設置され、一つの前記導線にはダイオードが通電できるように連結され、前記導電輪の右端にはコイルが連結され、前記コイルと前記導線との間が通電できるように連結され、前記接触チャンバの前側内壁の中には蓄電器が固定的に設置され、前記導線の前端が前記蓄電器に通電できるように連結され、前記蓄電器が前記凝結ブロックと前記電熱線と通電できるように連結され、前記接触ボールが前記右接触輪と前記左接触輪とを回転連動させ、前記コイルによって磁力線を切断して電力を生ずて前記蓄電器の中に貯蔵することを特徴とする請求項１又は請求項２に記載の温度調節可能なマウスパッド。
【請求項４】
前記固定板の中には空気ガイド溝が左右対称的に設置され、前記空気ガイド溝の下側が前記温度調節チャンバに連通しており、前記空気ガイド溝の上側が前記マウスパッドチャンバに連通しており、前記マウスパッドチャンバの中にはマウスパッドがスライドできるように設置され、前記マウスパッドの性質は剛性で変形しないのであり、前記マウスパッドの下端が前記接触ボールに当接しており、前記マウスパッドの上端にはインターフェイスが固定的に連結され、前記マウスパッドチャンバの下側内壁には圧縮ばねが固定的に連結され、前記圧縮ばねの上端が前記マウスパッドに当接しており、前記マウスパッドの左右両端と前記マウスパッドチャンバの左右両側の内壁との間には弾性紐が固定的に連結され、前記インターフェイスによってマウスを接続し、マウスを下方へ押し、また前記マウスパッドによって前記接触ボールを押し動かして下方へスライドさせることを特徴とする請求項１又は請求項２又は請求項３に記載の温度調節可能なマウスパッド。
【発明の詳細な説明】
【技術分野】
【０００１】
本発明はマウスパッド分野に関わり、具体的には温度調節可能なマウスパッドである。
【背景技術】
【０００２】
夏にマウスを使う時に掌には汗が出やすく、時間が長いとマウスの使用寿命に影響を及ぼし、冬にマウスを使う時に冷たくて手が震えやすく、マウスの操作に影響を与え、したがって、冷たい空気又は暖かい空気を吹き出してマウスパッドの表面の温度を調整できる温度調節可能なマウスパッドを設計することが必要となり、本装置はマウスの移動する運動エネルギーを電気エネルギーに転換して貯蔵でき、それに貯蔵された電気エネルギーを温度の調節に所要の電気エネルギーとして使うこともでき、また人の制御によって冷たい空気又は暖かい空気を吹き出すことができる。
【先行技術文献】
【特許文献】
【０００３】
【特許文献１】中国特許出願公開第１０６２９３１６１号明細書
【発明の概要】
【発明が解決しようとする課題】
【０００４】
本発明が解決する問題は温度調節可能なマウスパッドを提供し、上記既存の技術にある問題を解決できる。
【課題を解決するための手段】
【０００５】
本発明は以下の技術プランによって実現される：本発明の温度調節可能なマウスパッドは、ベースを含み、前記ベースがデスクの中に固定的に設置されることができ、前記ベースの上端には固定板が固定的に連結され、前記ベースの中には温度調節装置と蓄電装置とが設置され、前記温度調節装置は前記ベースの中に下方に開口するように設置されたファンチャンバを含み、前記ファンチャンバの中には回転子が回転できるように設置され、前記回転子の円周面には四枚のファンが環状になるように排列して連結され、前記回転子の上端にはモーター軸が固定的に連結され、前記ファンチャンバの上側内壁の中にはモーターが設置され、前記モーター軸が前記モーターに動力が伝達できるように連結され、前記ファンチャンバの上側内壁の中には左右対称であり、且つ上方に開口した温度調節チャンバが連通するように設置され、前記温度調節チャンバの中には凝結ブロックが固定的に設置され、前記凝結ブロックの中には凝結溝が上下に貫通するように設置され、前記凝結ブロックの上側には電熱線が固定的に設置され、前記モーターを始動して前記ファンによって外部空間から空気を吸い込み、また空気に前記凝結溝と前記温度調節チャンバとを経由させ、人の制御によって前記凝結ブロックを凝結させ又は前記電熱線を加熱して空気への温度調節を行える。
【０００６】
さらなる技術プランには、前記蓄電装置は接触装置と電磁装置とを含み、前記接触装置は前記固定板の中に前後に貫通するように設置され、且つ上方に開口したマウスパッドチャンバを含み、前記マウスパッドチャンバの下側内壁の中には下方に開口した連通溝が連通するように設置され、前記ベースの中には上方に開口した接触チャンバが設置され、前記接触チャンバの中には接触ボールが上下にスライドできるように、且つ転がれるように設置され、前記接触ボールの上端が前記マウスパッドチャンバの中に伸びており、前記接触チャンバの下側内壁の中には支持ブロックチャンバが連通するように設置され、前記支持ブロックチャンバの中には支持ブロックがスライドできるように設置され、前記支持ブロックの上端が前記接触ボールに当接しており、前記支持ブロックの下端と前記支持ブロックチャンバの下側内壁との間には支持ばねが固定的に連結され、前記接触チャンバの下側内壁の中には右スライド溝が連通するように設置され、前記右スライド溝の中には右コンロッドがスライドできるように設置され、前記右コンロッドの右端と前記右スライド溝の右側内壁との間には右調節ばねが固定的に連結され、前記右コンロッドの上端には回転軸が回転できるように連結され、前記回転軸には右接触輪が固定的に連結され、前記右接触輪の左端が前記接触ボールに当接しており、前記接触チャンバの下側内壁の中には左スライド溝が連通するように設置され、前記左スライド溝の中にはスライドブロックがスライドできるように設置され、前記スライドブロックの前端と前記左スライド溝の前側内壁との間には左調節ばねが固定的に連結され、前記スライドブロックの上端には絶縁軸が回転できるように連結され、前記絶縁軸には左接触輪が固定的に連結され、前記左接触輪の後端が前記接触ボールに当接しており、前記右調節ばねと前記左調節ばねの弾力作用の下で、前記右接触輪が前記左接触輪と、前記接触ボールとの間には良好の摩擦があることを保証し、それによって前記接触ボールが転がる時に前記左接触輪と前記右接触輪とを回転連動させることができる。
【０００７】
さらなる技術プランには、前記電磁装置は前記回転軸の前端に固定的に連結された固定ギヤを含み、前記固定ギヤの右端にはスライドできるスライドギヤが互いに噛み合うように設置され、前記接触チャンバの右側内壁には復帰ばねが固定的に連結され、前記復帰ばねの左端が前記スライドギヤに当接しており、前記スライドギヤの中には固定軸が固定的に連結され、前記固定軸の左端には絶縁板が固定的に連結され、前記絶縁板の左端には前後対称の電磁ブロックが固定的に連結され、前記絶縁軸の右端には導電輪が固定的に連結され、前記導電輪には二本の導線が巻き付くように設置され、一つの前記導線にはダイオードが通電できるように連結され、前記導電輪の右端にはコイルが連結され、前記コイルと前記導線との間が通電できるように連結され、前記接触チャンバの前側内壁の中には蓄電器が固定的に設置され、前記導線の前端が前記蓄電器に通電できるように連結され、前記蓄電器が前記凝結ブロックと前記電熱線と通電できるように連結され、前記接触ボールが前記右接触輪と前記左接触輪とを回転連動させ、前記コイルによって磁力線を切断して電力を生ずて前記蓄電器の中に貯蔵する。
【０００８】
さらなる技術プランには、前記固定板の中には空気ガイド溝が左右対称的に設置され、前記空気ガイド溝の下側が前記温度調節チャンバに連通しており、前記空気ガイド溝の上側が前記マウスパッドチャンバに連通しており、前記マウスパッドチャンバの中にはマウスパッドがスライドできるように設置され、前記マウスパッドの性質は剛性で変形しないのであり、前記マウスパッドの下端が前記接触ボールに当接しており、前記マウスパッドの上端にはインターフェイスが固定的に連結され、前記マウスパッドチャンバの下側内壁には圧縮ばねが固定的に連結され、前記圧縮ばねの上端が前記マウスパッドに当接しており、前記マウスパッドの左右両端と前記マウスパッドチャンバの左右両側の内壁との間には弾性紐が固定的に連結され、前記インターフェイスによってマウスを接続し、マウスを下方へ押し、また前記マウスパッドによって前記接触ボールを押し動かして下方へスライドさせる。
【発明の効果】
【０００９】
有益な効果は：本発明は構成が簡単で、操作が便利であり、マウスを移動させる運動エネルギーを電気エネルギーに転換して貯蔵できるだけではなく、貯蔵された電気エネルギーを温度の調節に所要の電気エネルギーとして使うこともでき、また人の制御によって冷たい空気又は暖かい空気を吹き出すことができる。
【図面の簡単な説明】
【００１０】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の温度調節可能なマウスパッドの内部構成概略図
【図２】図２は図１の中の「Ａ―Ａ」方向の構成概略図
【図３】図３は図１の中の「Ｂ―Ｂ」方向の構成概略図
【発明を実施するための形態】
【００１２】
図１〜３を参照し、本発明の温度調節可能なマウスパッドは、ベース１１を含み、前記ベース１１がデスクの中に固定的に設置されることができ、前記ベース１１の上端には固定板２５が固定的に連結され、前記ベース１１の中には温度調節装置１００と蓄電装置１０１とが設置され、前記温度調節装置１００は前記ベース１１の中に下方に開口するように設置されたファンチャンバ１７を含み、前記ファンチャンバ１７の中には回転子１４が回転できるように設置され、前記回転子１４の円周面には四枚のファン１２が環状になるように排列して連結され、前記回転子１４の上端にはモーター軸１５が固定的に連結され、前記ファンチャンバ１７の上側内壁の中にはモーター１６が設置され、前記モーター軸１５が前記モーター１６に動力が伝達できるように連結され、前記ファンチャンバ１７の上側内壁の中には左右対称であり、且つ上方に開口した温度調節チャンバ３３が連通するように設置され、前記温度調節チャンバ３３の中には凝結ブロック３５が固定的に設置され、前記凝結ブロック３５の中には凝結溝３４が上下に貫通するように設置され、前記凝結ブロック３５の上側には電熱線３２が固定的に設置され、前記モーター１６を始動して前記ファン１２によって外部空間から空気を吸い込み、また空気に前記凝結溝３４と前記温度調節チャンバ３３とを経由させ、人の制御によって前記凝結ブロック３５を凝結させ又は前記電熱線３２を加熱して空気への温度調節を行える。
【００１３】
有益なように、前記蓄電装置１０１は接触装置１０２と電磁装置１０３とを含み、前記接触装置１０２は前記固定板２５の中に前後に貫通するように設置され、且つ上方に開口したマウスパッドチャンバ３０を含み、前記マウスパッドチャンバ３０の下側内壁の中には下方に開口した連通溝２９が連通するように設置され、前記ベース１１の中には上方に開口した接触チャンバ３８が設置され、前記接触チャンバ３８の中には接触ボール２６が上下にスライドできるように、且つ転がれるように設置され、前記接触ボール２６の上端が前記マウスパッドチャンバ３０の中に伸びており、前記接触チャンバ３８の下側内壁の中には支持ブロックチャンバ１３が連通するように設置され、前記支持ブロックチャンバ１３の中には支持ブロック３７がスライドできるように設置され、前記支持ブロック３７の上端が前記接触ボール２６に当接しており、前記支持ブロック３７の下端と前記支持ブロックチャンバ１３の下側内壁との間には支持ばね３６が固定的に連結され、前記接触チャンバ３８の下側内壁の中には右スライド溝１８が連通するように設置され、前記右スライド溝１８の中には右コンロッド２０がスライドできるように設置され、前記右コンロッド２０の右端と前記右スライド溝１８の右側内壁との間には右調節ばね１９が固定的に連結され、前記右コンロッド２０の上端には回転軸２１が回転できるように連結され、前記回転軸２１には右接触輪２２が固定的に連結され、前記右接触輪２２の左端が前記接触ボール２６に当接しており、前記接触チャンバ３８の下側内壁の中には左スライド溝５３が連通するように設置され、前記左スライド溝５３の中にはスライドブロック９９がスライドできるように設置され、前記スライドブロック９９の前端と前記左スライド溝５３の前側内壁との間には左調節ばね５４が固定的に連結され、前記スライドブロック９９の上端には絶縁軸５１が回転できるように連結され、前記絶縁軸５１には左接触輪５０が固定的に連結され、前記左接触輪５０の後端が前記接触ボール２６に当接しており、前記右調節ばね１９と前記左調節ばね５４の弾力作用の下で、前記右接触輪２２が前記左接触輪５０と、前記接触ボール２６との間には良好の摩擦があることを保証し、それによって前記接触ボール２６が転がる時に前記左接触輪５０と前記右接触輪２２とを回転連動させることができる。
【００１４】
有益なように、前記電磁装置１０３は前記回転軸２１の前端に固定的に連結された固定ギヤ３９を含み、前記固定ギヤ３９の右端にはスライドできるスライドギヤ４３が互いに噛み合うように設置され、前記接触チャンバ３８の右側内壁には復帰ばね４２が固定的に連結され、前記復帰ばね４２の左端が前記スライドギヤ４３に当接しており、前記スライドギヤ４３の中には固定軸４１が固定的に連結され、前記固定軸４１の左端には絶縁板４４が固定的に連結され、前記絶縁板４４の左端には前後対称の電磁ブロック４０が固定的に連結され、前記絶縁軸５１の右端には導電輪４９が固定的に連結され、前記導電輪４９には二本の導線４６が巻き付くように設置され、一つの前記導線４６にはダイオード４８が通電できるように連結され、前記導電輪４９の右端にはコイル４５が連結され、前記コイル４５と前記導線４６との間が通電できるように連結され、前記接触チャンバ３８の前側内壁の中には蓄電器４７が固定的に設置され、前記導線４６の前端が前記蓄電器４７に通電できるように連結され、前記蓄電器４７が前記凝結ブロック３５と前記電熱線３２と通電できるように連結され、前記接触ボール２６が前記右接触輪２２と前記左接触輪５０とを回転連動させ、前記コイル４５によって磁力線を切断して電力を生ずて前記蓄電器４７の中に貯蔵する。
【００１５】
有益なように、前記固定板２５の中には空気ガイド溝３１が左右対称的に設置され、前記空気ガイド溝３１の下側が前記温度調節チャンバ３３に連通しており、前記空気ガイド溝３１の上側が前記マウスパッドチャンバ３０に連通しており、前記マウスパッドチャンバ３０の中にはマウスパッド２４がスライドできるように設置され、前記マウスパッド２４の性質は剛性で変形しないのであり、前記マウスパッド２４の下端が前記接触ボール２６に当接しており、前記マウスパッド２４の上端にはインターフェイス２７が固定的に連結され、前記マウスパッドチャンバ３０の下側内壁には圧縮ばね２８が固定的に連結され、前記圧縮ばね２８の上端が前記マウスパッド２４に当接しており、前記マウスパッド２４の左右両端と前記マウスパッドチャンバ３０の左右両側の内壁との間には弾性紐２３が固定的に連結され、前記インターフェイス２７によってマウスを接続し、マウスを下方へ押し、また前記マウスパッド２４によって前記接触ボール２６を押し動かして下方へスライドさせる。
【００１６】
使用の時、インターフェイス２７によってマウスを接続し、マウスを下方へ押し、またマウスパッド２４によって接触ボール２６を押し動かして下方へスライドさせ、弾性紐２３と圧縮ばね２８との弾力の作用の下でマウスパッド２４がマウスパッドチャンバ３０の中から滑り出ることを防止し、この時に支持ブロック３７が支持ばね３６の弾力の作用の下で接触ボール２６を支持し、連通溝２９によって接触ボール２６のスライドの位置を制限し、同時に右接触輪２２とスライドブロック９９とを推し動かしてスライドさせ、右調節ばね１９と左調節ばね５４との弾力の作用の下で、右接触輪２２が左接触輪５０と、接触ボール２６との間には良好の摩擦があることを保証し、それによって接触ボール２６が転がる時に左接触輪５０と右接触輪２２とを回転連動させることができ、マウスを移動させ、マウスパッド２４によって接触ボール２６を連動させて転がらせ、更に左接触輪５０と右接触輪２２とを回転連動させ、更にコイル４５を回転連動させて磁力線を切断して電力を生ず、マウスの移動する方向は任意であるため、ダイオード４８によって電流が一方向へ流れることを実現し、即ち蓄電器４７のみ充電し、温度を調節する時、人によってモーター１６と蓄電器４７とを始動し、ファン１２によって外部空間から空気を吸い込み、また空気に凝結溝３４と温度調節チャンバ３３とを経由させ、蓄電器４７によって導電し、凝結ブロック３５を凝結させ又は電熱線３２を加熱して空気への温度調節を行い、空気が空気ガイド溝３１を通してマウス及び手に吹き付ける。
【００１７】
有益な効果は：本発明は構成が簡単で、操作が便利であり、マウスを移動させる運動エネルギーを電気エネルギーに転換して貯蔵できるだけではなく、貯蔵された電気エネルギーを温度の調節に所要の電気エネルギーとして使うこともでき、また人の制御によって冷たい空気又は暖かい空気を吹き出すことができる。
【００１８】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020177623.tif 000003
【図２】
2020177623.tif 000004
【図３】
2020177623.tif 000005
【手続補正書】
【提出日】令和1年8月9日(2019.8.9)
【手続補正１】
【補正対象書類名】特許請求の範囲
【補正対象項目名】全文
【補正方法】変更
【補正の内容】
【特許請求の範囲】
【請求項１】
正面視で、ベースを含み、前記ベースがデスクの中に固定的に設置されることができ、前記ベースの上端には固定板が固定的に連結され、前記ベースの中には温度調節装置と蓄電装置とが設置され、前記温度調節装置は前記ベースの中に下方に開口するように設置されたファンチャンバを含み、前記ファンチャンバの中には回転子が回転できるように設置され、前記回転子の円周面には四枚のファンが環状になるように排列して連結され、前記回転子の上端にはモーター軸が固定的に連結され、前記ファンチャンバの上側内壁の中にはモーターが設置され、前記モーター軸が前記モーターに動力が伝達できるように連結され、前記ファンチャンバの上側内壁の中には左右対称であり、且つ上方に開口した温度調節チャンバが連通するように設置され、前記温度調節チャンバの中には凝結ブロックが固定的に設置され、前記凝結ブロックの中には凝結溝が上下に貫通するように設置され、前記凝結ブロックの上側には電熱線が固定的に設置され、前記モーターを始動して前記ファンによって外部空間から空気を吸い込み、また空気に前記凝結溝と前記温度調節チャンバとを経由させ、人の制御によって前記凝結ブロックを凝結させ又は前記電熱線を加熱して空気への温度調節を行えることを特徴とする温度調節可能なマウスパッド。
【請求項２】
前記蓄電装置は接触装置と電磁装置とを含み、前記接触装置は前記固定板の中に前後に貫通するように設置され、且つ上方に開口したマウスパッドチャンバを含み、前記マウスパッドチャンバの下側内壁の中には下方に開口した連通溝が連通するように設置され、前記ベースの中には上方に開口した接触チャンバが設置され、前記接触チャンバの中には接触ボールが上下にスライドできるように、且つ転がれるように設置され、前記接触ボールの上端が前記マウスパッドチャンバの中に伸びており、前記接触チャンバの下側内壁の中には支持ブロックチャンバが連通するように設置され、前記支持ブロックチャンバの中には支持ブロックがスライドできるように設置され、前記支持ブロックの上端が前記接触ボールに当接しており、前記支持ブロックの下端と前記支持ブロックチャンバの下側内壁との間には支持ばねが固定的に連結され、前記接触チャンバの下側内壁の中には右スライド溝が連通するように設置され、前記右スライド溝の中には右コンロッドがスライドできるように設置され、前記右コンロッドの右端と前記右スライド溝の右側内壁との間には右調節ばねが固定的に連結され、前記右コンロッドの上端には回転軸が回転できるように連結され、前記回転軸には右接触輪が固定的に連結され、前記右接触輪の左端が前記接触ボールに当接しており、前記接触チャンバの下側内壁の中には左スライド溝が連通するように設置され、前記左スライド溝の中にはスライドブロックがスライドできるように設置され、前記スライドブロックの前端と前記左スライド溝の前側内壁との間には左調節ばねが固定的に連結され、前記スライドブロックの上端には絶縁軸が回転できるように連結され、前記絶縁軸には左接触輪が固定的に連結され、前記左接触輪の後端が前記接触ボールに当接しており、前記右調節ばねと前記左調節ばねの弾力作用の下で、前記右接触輪と前記接触ボールの間に良好の摩擦があることを保証し、前記左接触輪と前記接触ボールの間に良好の摩擦があることを保証し、それによって前記接触ボールが転がる時に前記左接触輪と前記右接触輪とを回転連動させることができることを特徴とする請求項１に記載の温度調節可能なマウスパッド。
【請求項３】
前記電磁装置は前記回転軸の前端に固定的に連結された固定ギヤを含み、前記固定ギヤの右端にはスライドできるスライドギヤが互いに噛み合うように設置され、前記接触チャンバの右側内壁には復帰ばねが固定的に連結され、前記復帰ばねの左端が前記スライドギヤに当接しており、前記スライドギヤの中には固定軸が固定的に連結され、前記固定軸の左端には絶縁板が固定的に連結され、前記絶縁板の左端には前後対称の電磁ブロックが固定的に連結され、前記絶縁軸の右端には導電輪が固定的に連結され、前記導電輪には二本の導線が巻き付くように設置され、一つの前記導線にはダイオードが通電できるように連結され、前記導電輪の右端にはコイルが連結され、前記コイルと前記導線との間が通電できるように連結され、前記接触チャンバの前側内壁の中には蓄電器が固定的に設置され、前記導線の前端が前記蓄電器に通電できるように連結され、前記蓄電器が前記凝結ブロックと前記電熱線と通電できるように連結され、前記接触ボールが前記右接触輪と前記左接触輪とを回転連動させ、前記コイルによって磁力線を切断して電力を生じて前記蓄電器の中に貯蔵することを特徴とする請求項２に記載の温度調節可能なマウスパッド。
【請求項４】
前記固定板の中には空気ガイド溝が左右対称的に設置され、前記空気ガイド溝の下側が前記温度調節チャンバに連通しており、前記空気ガイド溝の上側が前記マウスパッドチャンバに連通しており、前記マウスパッドチャンバの中にはマウスパッドがスライドできるように設置され、前記マウスパッドの性質は剛性で変形しないのであり、前記マウスパッドの下端が前記接触ボールに当接しており、前記マウスパッドの上端にはインターフェイスが固定的に連結され、前記マウスパッドチャンバの下側内壁には圧縮ばねが固定的に連結され、前記圧縮ばねの上端が前記マウスパッドに当接しており、前記マウスパッドの左右両端と前記マウスパッドチャンバの左右両側の内壁との間には弾性紐が固定的に連結され、前記インターフェイスによってマウスを接続し、マウスを下方へ押し、また前記マウスパッドによって前記接触ボールを押し動かして下方へスライドさせることを特徴とする請求項２に記載の温度調節可能なマウスパッド。
【手続補正２】
【補正対象書類名】明細書
【補正対象項目名】全文
【補正方法】変更
【補正の内容】
【発明の詳細な説明】
【技術分野】
【０００１】
本発明はマウスパッド分野に関わり、具体的には温度調節可能なマウスパッドである。
【背景技術】
【０００２】
夏にマウスを使う時に掌には汗が出やすく、時間が長いとマウスの使用寿命に影響を及ぼし、冬にマウスを使う時に冷たくて手が震えやすく、マウスの操作に影響を与え、したがって、冷たい空気又は暖かい空気を吹き出してマウスパッドの表面の温度を調整できる温度調節可能なマウスパッドを設計することが必要となり、本装置はマウスの移動する運動エネルギーを電気エネルギーに転換して貯蔵でき、それに貯蔵された電気エネルギーを温度の調節に所要の電気エネルギーとして使うこともでき、また人の制御によって冷たい空気又は暖かい空気を吹き出すことができる。
【先行技術文献】
【特許文献】
【０００３】
【特許文献１】中国特許出願公開第１０６２９３１６１号明細書
【発明の概要】
【発明が解決しようとする課題】
【０００４】
本発明が解決する問題は温度調節可能なマウスパッドを提供し、上記既存の技術にある問題を解決できる。
【課題を解決するための手段】
【０００５】
本発明は以下の技術プランによって実現される：本発明の温度調節可能なマウスパッドは、ベースを含み、前記ベースがデスクの中に固定的に設置されることができ、前記ベースの上端には固定板が固定的に連結され、前記ベースの中には温度調節装置と蓄電装置とが設置され、前記温度調節装置は前記ベースの中に下方に開口するように設置されたファンチャンバを含み、前記ファンチャンバの中には回転子が回転できるように設置され、前記回転子の円周面には四枚のファンが環状になるように排列して連結され、前記回転子の上端にはモーター軸が固定的に連結され、前記ファンチャンバの上側内壁の中にはモーターが設置され、前記モーター軸が前記モーターに動力が伝達できるように連結され、前記ファンチャンバの上側内壁の中には左右対称であり、且つ上方に開口した温度調節チャンバが連通するように設置され、前記温度調節チャンバの中には凝結ブロックが固定的に設置され、前記凝結ブロックの中には凝結溝が上下に貫通するように設置され、前記凝結ブロックの上側には電熱線が固定的に設置され、前記モーターを始動して前記ファンによって外部空間から空気を吸い込み、また空気に前記凝結溝と前記温度調節チャンバとを経由させ、人の制御によって前記凝結ブロックを凝結させ又は前記電熱線を加熱して空気への温度調節を行える。
【０００６】
さらなる技術プランには、前記蓄電装置は接触装置と電磁装置とを含み、前記接触装置は前記固定板の中に前後に貫通するように設置され、且つ上方に開口したマウスパッドチャンバを含み、前記マウスパッドチャンバの下側内壁の中には下方に開口した連通溝が連通するように設置され、前記ベースの中には上方に開口した接触チャンバが設置され、前記接触チャンバの中には接触ボールが上下にスライドできるように、且つ転がれるように設置され、前記接触ボールの上端が前記マウスパッドチャンバの中に伸びており、前記接触チャンバの下側内壁の中には支持ブロックチャンバが連通するように設置され、前記支持ブロックチャンバの中には支持ブロックがスライドできるように設置され、前記支持ブロックの上端が前記接触ボールに当接しており、前記支持ブロックの下端と前記支持ブロックチャンバの下側内壁との間には支持ばねが固定的に連結され、前記接触チャンバの下側内壁の中には右スライド溝が連通するように設置され、前記右スライド溝の中には右コンロッドがスライドできるように設置され、前記右コンロッドの右端と前記右スライド溝の右側内壁との間には右調節ばねが固定的に連結され、前記右コンロッドの上端には回転軸が回転できるように連結され、前記回転軸には右接触輪が固定的に連結され、前記右接触輪の左端が前記接触ボールに当接しており、前記接触チャンバの下側内壁の中には左スライド溝が連通するように設置され、前記左スライド溝の中にはスライドブロックがスライドできるように設置され、前記スライドブロックの前端と前記左スライド溝の前側内壁との間には左調節ばねが固定的に連結され、前記スライドブロックの上端には絶縁軸が回転できるように連結され、前記絶縁軸には左接触輪が固定的に連結され、前記左接触輪の後端が前記接触ボールに当接しており、前記右調節ばねと前記左調節ばねの弾力作用の下で、前記右接触輪と前記接触ボールの間に良好の摩擦があることを保証し、前記左接触輪と前記接触ボールの間に良好の摩擦があることを保証し、それによって前記接触ボールが転がる時に前記左接触輪と前記右接触輪とを回転連動させることができる。
【０００７】
さらなる技術プランには、前記電磁装置は前記回転軸の前端に固定的に連結された固定ギヤを含み、前記固定ギヤの右端にはスライドできるスライドギヤが互いに噛み合うように設置され、前記接触チャンバの右側内壁には復帰ばねが固定的に連結され、前記復帰ばねの左端が前記スライドギヤに当接しており、前記スライドギヤの中には固定軸が固定的に連結され、前記固定軸の左端には絶縁板が固定的に連結され、前記絶縁板の左端には前後対称の電磁ブロックが固定的に連結され、前記絶縁軸の右端には導電輪が固定的に連結され、前記導電輪には二本の導線が巻き付くように設置され、一つの前記導線にはダイオードが通電できるように連結され、前記導電輪の右端にはコイルが連結され、前記コイルと前記導線との間が通電できるように連結され、前記接触チャンバの前側内壁の中には蓄電器が固定的に設置され、前記導線の前端が前記蓄電器に通電できるように連結され、前記蓄電器が前記凝結ブロックと前記電熱線と通電できるように連結され、前記接触ボールが前記右接触輪と前記左接触輪とを回転連動させ、前記コイルによって磁力線を切断して電力を生じて前記蓄電器の中に貯蔵する。
【０００８】
さらなる技術プランには、前記固定板の中には空気ガイド溝が左右対称的に設置され、前記空気ガイド溝の下側が前記温度調節チャンバに連通しており、前記空気ガイド溝の上側が前記マウスパッドチャンバに連通しており、前記マウスパッドチャンバの中にはマウスパッドがスライドできるように設置され、前記マウスパッドの性質は剛性で変形しないのであり、前記マウスパッドの下端が前記接触ボールに当接しており、前記マウスパッドの上端にはインターフェイスが固定的に連結され、前記マウスパッドチャンバの下側内壁には圧縮ばねが固定的に連結され、前記圧縮ばねの上端が前記マウスパッドに当接しており、前記マウスパッドの左右両端と前記マウスパッドチャンバの左右両側の内壁との間には弾性紐が固定的に連結され、前記インターフェイスによってマウスを接続し、マウスを下方へ押し、また前記マウスパッドによって前記接触ボールを押し動かして下方へスライドさせる。
【発明の効果】
【０００９】
有益な効果は：本発明は構成が簡単で、操作が便利であり、マウスを移動させる運動エネルギーを電気エネルギーに転換して貯蔵できるだけではなく、貯蔵された電気エネルギーを温度の調節に所要の電気エネルギーとして使うこともでき、また人の制御によって冷たい空気又は暖かい空気を吹き出すことができる。
【図面の簡単な説明】
【００１０】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の温度調節可能なマウスパッドの内部構成概略図
【図２】図２は図１の中の「Ａ―Ａ」方向の構成概略図
【図３】図３は図１の中の「Ｂ―Ｂ」方向の構成概略図
【発明を実施するための形態】
【００１２】
図１〜３を参照し、本発明の温度調節可能なマウスパッドは、ベース１１を含み、前記ベース１１がデスクの中に固定的に設置されることができ、前記ベース１１の上端には固定板２５が固定的に連結され、前記ベース１１の中には温度調節装置１００と蓄電装置１０１とが設置され、前記温度調節装置１００は前記ベース１１の中に下方に開口するように設置されたファンチャンバ１７を含み、前記ファンチャンバ１７の中には回転子１４が回転できるように設置され、前記回転子１４の円周面には四枚のファン１２が環状になるように排列して連結され、前記回転子１４の上端にはモーター軸１５が固定的に連結され、前記ファンチャンバ１７の上側内壁の中にはモーター１６が設置され、前記モーター軸１５が前記モーター１６に動力が伝達できるように連結され、前記ファンチャンバ１７の上側内壁の中には左右対称であり、且つ上方に開口した温度調節チャンバ３３が連通するように設置され、前記温度調節チャンバ３３の中には凝結ブロック３５が固定的に設置され、前記凝結ブロック３５の中には凝結溝３４が上下に貫通するように設置され、前記凝結ブロック３５の上側には電熱線３２が固定的に設置され、前記モーター１６を始動して前記ファン１２によって外部空間から空気を吸い込み、また空気に前記凝結溝３４と前記温度調節チャンバ３３とを経由させ、人の制御によって前記凝結ブロック３５を凝結させ又は前記電熱線３２を加熱して空気への温度調節を行える。
【００１３】
有益なように、前記蓄電装置１０１は接触装置１０２と電磁装置１０３とを含み、前記接触装置１０２は前記固定板２５の中に前後に貫通するように設置され、且つ上方に開口したマウスパッドチャンバ３０を含み、前記マウスパッドチャンバ３０の下側内壁の中には下方に開口した連通溝２９が連通するように設置され、前記ベース１１の中には上方に開口した接触チャンバ３８が設置され、前記接触チャンバ３８の中には接触ボール２６が上下にスライドできるように、且つ転がれるように設置され、前記接触ボール２６の上端が前記マウスパッドチャンバ３０の中に伸びており、前記接触チャンバ３８の下側内壁の中には支持ブロックチャンバ１３が連通するように設置され、前記支持ブロックチャンバ１３の中には支持ブロック３７がスライドできるように設置され、前記支持ブロック３７の上端が前記接触ボール２６に当接しており、前記支持ブロック３７の下端と前記支持ブロックチャンバ１３の下側内壁との間には支持ばね３６が固定的に連結され、前記接触チャンバ３８の下側内壁の中には右スライド溝１８が連通するように設置され、前記右スライド溝１８の中には右コンロッド２０がスライドできるように設置され、前記右コンロッド２０の右端と前記右スライド溝１８の右側内壁との間には右調節ばね１９が固定的に連結され、前記右コンロッド２０の上端には回転軸２１が回転できるように連結され、前記回転軸２１には右接触輪２２が固定的に連結され、前記右接触輪２２の左端が前記接触ボール２６に当接しており、前記接触チャンバ３８の下側内壁の中には左スライド溝５３が連通するように設置され、前記左スライド溝５３の中にはスライドブロック９９がスライドできるように設置され、前記スライドブロック９９の前端と前記左スライド溝５３の前側内壁との間には左調節ばね５４が固定的に連結され、前記スライドブロック９９の上端には絶縁軸５１が回転できるように連結され、前記絶縁軸５１には左接触輪５０が固定的に連結され、前記左接触輪５０の後端が前記接触ボール２６に当接しており、前記右調節ばね１９と前記左調節ばね５４の弾力作用の下で、前記右接触輪２２と前記接触ボール２６の間に良好の摩擦があることを保証し、前記左接触輪５０と前記接触ボール２６の間に良好の摩擦があることを保証し、それによって前記接触ボール２６が転がる時に前記左接触輪５０と前記右接触輪２２とを回転連動させることができる。
【００１４】
有益なように、前記電磁装置１０３は前記回転軸２１の前端に固定的に連結された固定ギヤ３９を含み、前記固定ギヤ３９の右端にはスライドできるスライドギヤ４３が互いに噛み合うように設置され、前記接触チャンバ３８の右側内壁には復帰ばね４２が固定的に連結され、前記復帰ばね４２の左端が前記スライドギヤ４３に当接しており、前記スライドギヤ４３の中には固定軸４１が固定的に連結され、前記固定軸４１の左端には絶縁板４４が固定的に連結され、前記絶縁板４４の左端には前後対称の電磁ブロック４０が固定的に連結され、前記絶縁軸５１の右端には導電輪４９が固定的に連結され、前記導電輪４９には二本の導線４６が巻き付くように設置され、一つの前記導線４６にはダイオード４８が通電できるように連結され、前記導電輪４９の右端にはコイル４５が連結され、前記コイル４５と前記導線４６との間が通電できるように連結され、前記接触チャンバ３８の前側内壁の中には蓄電器４７が固定的に設置され、前記導線４６の前端が前記蓄電器４７に通電できるように連結され、前記蓄電器４７が前記凝結ブロック３５と前記電熱線３２と通電できるように連結され、前記接触ボール２６が前記右接触輪２２と前記左接触輪５０とを回転連動させ、前記コイル４５によって磁力線を切断して電力を生じて前記蓄電器４７の中に貯蔵する。
【００１５】
有益なように、前記固定板２５の中には空気ガイド溝３１が左右対称的に設置され、前記空気ガイド溝３１の下側が前記温度調節チャンバ３３に連通しており、前記空気ガイド溝３１の上側が前記マウスパッドチャンバ３０に連通しており、前記マウスパッドチャンバ３０の中にはマウスパッド２４がスライドできるように設置され、前記マウスパッド２４の性質は剛性で変形しないのであり、前記マウスパッド２４の下端が前記接触ボール２６に当接しており、前記マウスパッド２４の上端にはインターフェイス２７が固定的に連結され、前記マウスパッドチャンバ３０の下側内壁には圧縮ばね２８が固定的に連結され、前記圧縮ばね２８の上端が前記マウスパッド２４に当接しており、前記マウスパッド２４の左右両端と前記マウスパッドチャンバ３０の左右両側の内壁との間には弾性紐２３が固定的に連結され、前記インターフェイス２７によってマウスを接続し、マウスを下方へ押し、また前記マウスパッド２４によって前記接触ボール２６を押し動かして下方へスライドさせる。
【００１６】
使用の時、インターフェイス２７によってマウスを接続し、マウスを下方へ押し、またマウスパッド２４によって接触ボール２６を押し動かして下方へスライドさせ、弾性紐２３と圧縮ばね２８との弾力の作用の下でマウスパッド２４がマウスパッドチャンバ３０の中から滑り出ることを防止し、この時に支持ブロック３７が支持ばね３６の弾力の作用の下で接触ボール２６を支持し、連通溝２９によって接触ボール２６のスライドの位置を制限し、同時に右接触輪２２とスライドブロック９９とを推し動かしてスライドさせ、右調節ばね１９と左調節ばね５４との弾力の作用の下で、右接触輪２２が左接触輪５０と、接触ボール２６との間には良好の摩擦があることを保証し、それによって接触ボール２６が転がる時に左接触輪５０と右接触輪２２とを回転連動させることができ、マウスを移動させ、マウスパッド２４によって接触ボール２６を連動させて転がらせ、更に左接触輪５０と右接触輪２２とを回転連動させ、更にコイル４５を回転連動させて磁力線を切断して電力を生ず、マウスの移動する方向は任意であるため、ダイオード４８によって電流が一方向へ流れることを実現し、即ち蓄電器４７のみ充電し、温度を調節する時、人によってモーター１６と蓄電器４７とを始動し、ファン１２によって外部空間から空気を吸い込み、また空気に凝結溝３４と温度調節チャンバ３３とを経由させ、蓄電器４７によって導電し、凝結ブロック３５を凝結させ又は電熱線３２を加熱して空気への温度調節を行い、空気が空気ガイド溝３１を通してマウス及び手に吹き付ける。
【００１７】
有益な効果は：本発明は構成が簡単で、操作が便利であり、マウスを移動させる運動エネルギーを電気エネルギーに転換して貯蔵できるだけではなく、貯蔵された電気エネルギーを温度の調節に所要の電気エネルギーとして使うこともでき、また人の制御によって冷たい空気又は暖かい空気を吹き出すことができる。
【００１８】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。